(57)【要約】      （修正有）【課題】和服としての着物を現代にマッチしたおしゃれな着物風の洋服にリメイクして、日常的かつ手軽に着用されるようにした衣服を提供する。【解決手段】着物から分離された左右の着物袖２が袖口２５を外方に向けて略Ｖ字状に配置されて形成されたベスト５を備えたことを特徴とする。【選択図】図３
0003196849.tif 000002
【実用新案登録請求の範囲】
【請求項１】
着物から分離された左右の着物袖が略Ｖ字状に配置されて形成されたベストを備えたことを特徴とする衣服。
【請求項２】
着物を上下に切断して上衣部と下衣部とに分離するとともに左右の着物袖を分離することにより得られた、左右の前記着物袖が袖口を外方に向けて略Ｖ字状に配置されて形成されたベストと、前記下衣部を用いて形成された下半身に着用される巻きスカート状のスカートと、を備えたことを特徴とする請求項１に記載の衣服。
【請求項３】
前記上衣部を用いて形成された、前記ベストの上から着用されるジャケットを備えたことを特徴とする請求項２に記載の衣服。
【請求項４】
前記ベストは、着物の袖取付部から分離された略縦長長方形状の左右の着物袖が袖口を外方に向けて略Ｖ字状に配置されて形成されたものであって、前記左右の着物袖の、前記袖口の下部が脇部として縫合されて着物の前記袖口よりも上下内寸の狭められたベスト袖口となされているとともに、上端辺の折り返し部と外側辺の前記脇部を除いて、前記外側辺においては前記ベスト袖口及び前記脇部の下方部、下端辺及び内側辺においては全長にわたって解放されるとともに、左右の着物袖の内側隅部の前面部同士及び後面部同士がそれぞれ略Ｖ字状に重合され、この重合された前記前面部同士及び後面部同士がベストとして着用可能にそれぞれ止着されて形成されたものであることを特徴とする請求項１〜３のいずれか１項に記載の衣服。
【請求項５】
左右の着物袖の内側隅部の前記前面部同士は重合上部において１点止めにより止着され、前記後面部同士は三角形の頂点を形成するようにして重合上部と左右の重合側部において３点止めにより止着されていることを特徴とする請求項４に記載の衣服。
【請求項６】
前記スカートは、上下に切断して略四角形状に展開される着物の下衣部でもって巻きスカート状に形成されたものであって、上縁に沿って帯状部が形成され、該帯状部に取付けられた掛止具によって、帯状部をウエストに巻き付けた際に、巻き付け状態を維持させることができるようになされていることを特徴とする請求項２〜５のいずれか１項に記載の衣服。
【請求項７】
前記掛止具は、雄部を前後に移動させて雌部に係脱させる少なくとも１個の丸ホックと、フックを左右に移動させて被掛止体に係脱させる少なくとも２個のカギホックとを備えるとともに、着用時に前記丸ホックの両側に２個の前記カギホックが配置されるようにして帯状部に取付けられ、かつ、２個の前記カギホックは、互いにフックを逆方向に移動させて被掛止体にそれぞれ係止させるようになされて、帯状部をウエストに巻き付けて、前記丸ホックとカギホックとをそれぞれ係止させることにより、巻き付け状態を維持させることができるようになされていることを特徴とする請求項６に記載の衣服。
【請求項８】
前記ジャケットは、上下に切断した着物の前記上衣部でもって形成されたものであって、地衿とその上に取付けられた掛け衿とからなる衿から取り外された前記掛け衿でもって、ジャケット袖が形成され、分離した着物袖に代わって前記ジャケット袖が袖取付部に取付けられるとともに、ウエスト部に雄部と該雄部を前後に移動させて該雄部を係脱させる雌部とからなる丸ホックが、左右方向に適宜間隔を開けて複数取付けられ、一の雄部を、複数の雌部から選択した一の雌部に係止させることにより、ウエスト部の横幅が調整可能となされていることを特徴とする請求項３〜７のいずれか１項に記載の衣服。
【考案の詳細な説明】
【技術分野】
【０００１】  本考案は、和服としての着物を現代にマッチしたおしゃれな着物風の洋服にリメイクして、日常的かつ手軽に着用されるようにした衣服に関するものである。
【背景技術】
【０００２】  和服としての着物は日本の伝統的な衣服であり、昭和の中頃位までは一般に着用されていたが、着用の際に長襦袢等の下着や、帯、多数の締め紐、小物等が必要であり、加えて着付けの難しさや洋服に比べて活動的でないこと等から、着用する人も  徐々に少なくなり、近年においては、お茶会やお花の会、結婚式等の特定の催事において僅かに着用されているものの、日常的な着用はほとんど見られなくなり、多数の古い着物が着用されずにタンスの中に眠っているのが現状である。
そこでこのタンスの中に眠っている着物を何とか甦らせようとして、色々な提案がなされている。【０００３】  例えば、着物を解いて再利用するものとして、特許文献１には、古い着物や着なくなった着物を解いて着物地とし、これを紐状に切って紐糸し、この紐糸を使用して新しい着物ニットを編むことで再生させることが提案され、また衣服として再利用するものとして、特許文献２には、着物をウエディングやパーティーに利用するドレスにリメイクすることが提案されている。
【先行技術文献】
【特許文献】
【０００４】
【特許文献１】実用新案登録第３１１９６７０号
【特許文献２】実用新案登録第３１２３４５１号
【考案の概要】
【考案が解決しようとする課題】
【０００５】  しかしながら、前記特許文献１に記載された提案は、特に衣服としての着用を目的として甦らせるものではなく、また特許文献２に記載された提案は、衣服として甦らせるものではあるが、ウエディングやパーティーに利用するドレスであるため、日常的に着用される衣服として甦らせるものではない。
【課題を解決するための手段】
【０００６】  本考案は、上記の如き課題を解決し、着物を現代にマッチしたおしゃれな着物風の洋服にリメイクして、日常的かつ手軽に着用されるようにした衣服を提供せんとするものである。【０００７】  すなわち、本考案に係る請求項１に記載の衣服は、着物から分離された左右の着物袖が略Ｖ字状に配置されて形成されたベストを備えたことを特徴とするものである。
前記衣服は、前記ベストそのものであってもよいし、前記ベストに加えて、下記する着物からリメイクされたスカートやジャケットを備えて構成されていてもよく、またその他のセーターやズボン等の着物からリメイクされたものでない衣服を備えて構成されていてもよい。【０００８】  また、本考案に係る請求項２に記載の衣服は、前記請求項１に記載の構成に加えて、着物を上下に切断して上衣部と下衣部とに分離するとともに左右の着物袖を分離することにより得られた、左右の前記着物袖が袖口を外方に向けて略Ｖ字状に配置されて形成されたベストと、前記下衣部を用いて形成された下半身に着用される巻きスカート状のスカートと、を備えたことを特徴とするものである。【０００９】  さらにまた、本考案に係る請求項３に記載の衣服は、前記請求項２に記載の構成に加えて、前記上衣部を用いて形成された、前記ベストの上から着用されるジャケットを備えたことを特徴とするものである。【００１０】  さらにまた、本考案に係る請求項４に記載の衣服は、前記請求項１〜３のいずれか１項に記載の構成に加えて、前記ベストは、着物の袖取付部から分離された略縦長長方形状の左右の着物袖が袖口を外方に向けて略Ｖ字状に配置されて形成されたものであって、前記左右の着物袖の、前記袖口の下部が脇部として縫合されて着物の前記袖口よりも上下内寸の狭められたベスト袖口となされているとともに、上端辺の折り返し部と外側辺の前記脇部を除いて、前記外側辺においては前記ベスト袖口及び前記脇部の下方部、下端辺及び内側辺においては全長にわたって解放されるとともに、左右の着物袖の内側隅部の前面部同士及び後面部同士がそれぞれ略Ｖ字状に重合され、この重合された前記前面部同士及び後面部同士がベストとして着用可能にそれぞれ止着されて形成されたものであることを特徴とするものである。【００１１】  さらにまた、本考案に係る請求項５に記載の衣服は、前記請求項４に記載の構成に加えて、前記ベストは、左右の着物袖の内側隅部の前記前面部同士は重合上部において１点止めにより止着され、前記後面部同士は三角形の頂点を形成するようにして重合上部と左右の重合側部において３点止めにより止着されていることを特徴とするものである。【００１２】  さらにまた、本考案に係る請求項６に記載の衣服は、前記請求項２〜５のいずれか１項に記載の構成に加えて、前記スカートは、上下に切断して略四角形状に展開される着物の下衣部でもって巻きスカート状に形成されたものであって、上縁に沿って帯状部が形成され、該帯状部に取付けられた掛止具によって、帯状部をウエストに巻き付けた際に、巻き付け状態を維持させることができるようになされていることを特徴とするものである。【００１３】  さらにまた、本考案に係る請求項７に記載の衣服は、前記請求項６に記載の構成に加えて、前記スカートの掛止具は、雄部を前後に移動させて雌部に係脱させる少なくとも１個の丸ホックと、フックを左右に移動させて被掛止体に係脱させる少なくとも２個のカギホックとを備えるとともに、着用時に前記丸ホックの両側に２個の前記カギホックが配置されるようにして帯状部に取付けられ、かつ、２個の前記カギホックは、互いにフックを逆方向に移動させて被掛止体にそれぞれ係止させるようになされて、帯状部をウエストに巻き付けて、前記丸ホックとカギホックとをそれぞれ係止させることにより、巻き付け状態を維持させることができるようになされていることを特徴とするものである。【００１４】  さらにまた、本考案に係る請求項８に記載の衣服は、前記請求項３〜７のいずれか１項に記載の構成に加えて、前記ジャケットは、上下に切断した着物の前記上衣部でもって形成されたものであって、地衿とその上に取付けられた掛け衿とからなる衿から取り外された前記掛け衿でもって、ジャケット袖が形成され、分離した着物袖に代わって前記ジャケット袖が袖取付部に取付けられるとともに、ウエスト部に雄部と該雄部を前後に移動させて該雄部を係脱させる雌部とからなる丸ホックが、左右方向に適宜間隔を開けて複数取付けられ、一の雄部を、複数の雌部から選択した一の雌部に係止させることにより、ウエスト部の横幅が調整可能となされていることを特徴とするものである。【００１５】  本考案に係る衣服は、和服としての着物をリメイクして形成されたものであるが、リメイクする着物の種類やサイズは特に限定されるものではなく、身丈、袖丈、袖幅、腰回り等の寸法や着物柄等、形成される衣服を着用する着用者の好みやサイズに応じて適宜選択して使用すればよい。
【考案の効果】
【００１６】  本考案に係る衣服は、和服としての着物を現代にマッチしたおしゃれな着物風の洋服にリメイクしたものであり、日常的かつ手軽に着用することができることから、祖母や母親等から引き継いだものの全く着用せず、又は若い時に着用していたものの今は全く着用せずに、タンスの中に眠っている等の着物を甦らせることができ、日本の伝統文化の継続に少なからず寄与することができる。
また本考案に係る衣服において、ベストは分離した左右の着物袖から形成し、またスカート及びジャケットは、上下に切断して分離した着物の下衣部及び上衣部とから形成することから、これらの縫い付けを解いて、着物に縫い付けて行けば、元の着物に容易に戻すことができる。
【図面の簡単な説明】
【００１７】
【図１】本考案の衣服にリメイクされる着物の一例を示す正面図である。
【図２】図１の着物から着物袖、上衣部及び下衣部の分離された状態を説明する正面図である。
【図３】図１の着物から分離された左右の着物袖から形成された本考案に係る衣服におけるベストの実施の一形態を示す正面図である。
【図４】図３に示されたベストの背面図である。
【図５】図１の着物から分離された下衣部から形成された本考案に係る衣服におけるスカートの実施の一形態を示し、（イ）は展開して裏地側を正面に向けた状態の正面図、（ロ）はその背面図である。
【図６】図５のスカートを下半身に巻き付けた着用時における、正面側において上方から下方に見た主要部の状態を示す拡大説明図である。
【図７】図１の着物から分離された上衣部から形成された本考案に係る衣服におけるジャケットの実施の一形態を示す正面図である。
【図８】図６のジャケットのＢ−Ｂ切断線から下方を見た主要部の状態を示す拡大説明図であって、（イ）はウエスト部の横幅を狭めた状態を示し、（ロ）は拡げた状態を示している。
【考案を実施するための形態】
【００１８】  次に、本考案を実施するための最良の形態について図面を参照して以下に具体的に説明する。なお、本考案は以下の実施形態に限定されるものではなく、本考案の要旨を変更しない限度において様々な変形が可能である。
【００１９】  図１〜２において、１は本考案の衣服にリメイクされる前の着物であり、２は前記着物１の袖取付部１１から分離された着物袖であり、該着物袖２は袖幅と袖丈で決まる寸法の略縦長長方形状からなるものであって、図３〜４で詳細に説明するが、上端辺２１の折り返し部において、表地と裏地からなる袖構成布が前面側と後面側とに折り返されて、着物袖２の前面部２２と後面部２３とが形成されており、また外側辺２４の上部には袖口２５が設けられており、そして内側辺２６の上部に設けられた袖基端部２７と前記袖取付部１１とを接続する縫糸を解くことにいて、前記袖取付部１１から分離されたものである。
【００２０】  ３は、Ａの位置で切断して、上下に分離した着物１の上部側である上衣部、４は下部側である下衣部である。前記切断位置Ａは、着用者の身長等に合わせて適宜決定される。なお、着物１は、縦長の右の後見頃１２１、左の後見頃１２２と、右の前身頃１３１、左の前見頃１３２、そして図では隠れているが右の衽１４１、左の衽１４２とを備えたものである。前記右、左は着用者から見て右、左であり、そして、着用する際は、右を下に、すなわち右を下前として体に沿わせ、その上に左を重ね、すなわち左を上前として一般的に着用される。なお、以下の説明において、重ねられて下になるところを下前、上になるところを上前とする。さらに着物１には、首回りから胸元で交差するようにして、地衿１５１とその上に取付けられた掛け衿１５２とからなる衿１５が取付けられており、この地衿１５１の下端よりやや上方位置、すなわち好適にはウエストよりやや上方位置Ａで上下に切断して、上衣部３と下衣部４とを分離する。
この際、図２に示されるように、地衿１５１の下端部の縫い付けを外して、前記下端部が上衣部３に残るようにして、上衣部３と下衣部４とを分離する。
【００２１】  次に図３〜４において、本考案に係る衣服におけるベストについて説明する。この形態においては、前記ベスト５は、着物１の袖取付部１１から分離された略縦長長方形状の左右の着物袖２が袖口２５を外方に向けて略Ｖ字状に配置されて形成される。そしてこの左右の着物袖２を略Ｖ字状に配置するに際し、図３に示されるように、着物としての袖口２５の上下幅はベスト５としては広いために、前記袖口２５の下部を縫合して前記袖口２５よりも上下幅を狭めて、ベスト袖口５１に修正するとともに、縫合された部分を含めてその下方を脇部５２とする。また、ベスト５として上半身に着用できるように、上端辺２１の折り返し部と外側辺２４の前記脇部５２を除いて、前記外側辺２４においては前記ベスト袖口５１及び前記脇部５２の下方部、下端辺２８及び袖基端部２７が設けられている内側辺２６においては全長にわたって、前面部２２と後面部２３の縫合を解いて解放する。
なお、前記において、脇部５２を内方に締まるようにして縫合すれば、ベスト袖口５１が脇部５２より外方に位置して、ベスト袖を形成したような感を与えることができる。
【００２２】  そして、図３〜４に示されるように、左右の着物袖２の内側隅部の前面部２２同士及び後面部２３同士がそれぞれ略Ｖ字状に重合されており、この重合された前面部２２同士は重合上部５３において１点止めにより止着され、前記後面部２３同士は三角形の頂点を形成するようにして重合上部５３と左右の重合側部５４，５５において、３点止めにより止着されている。
なお、本形態においては、左の着物袖２の前面部２２及び後面部２３を、右の着物袖２の前面部２２及び後面部２３に対して、それぞれ前側に配置して重合している。
前記前面部２２同士及び後面部２３同士の止着は、ボタンやホックによって取り外し可能に止着されていてもよいし、縫糸によって縫い付けられていても良く、また１点止めや３点止め以外の任意の手段で止着することも、ベスト５として着用可能であれば、本考案においては可能である。
また、この形態におけるベストは、左右の着物袖２が袖口２５を外方に向けて略Ｖ字状に配置されて形成されているが、袖口２５を内方に向け、袖基端部２７を外方に向けて略Ｖ字状に配置されて形成されていてもよく、さらに、左右の着物袖２の内、一方の着物袖２については袖口２５を外方に向け、もう一方の着物袖２については袖基端部２７を外方に向け、それらが略Ｖ字状に配置されて形成されていてもよい。なお、袖基端部２７を外方に向けて配置する場合、当該袖基端部２７によってベスト袖口５１及び前記脇部５２を形成することとなる。
【００２３】  次に、図５〜６により、本考案に係る衣服におけるスカートについて説明する。
本考案に係る衣服におけるスカート６は、上下に切断して略四角形状に展開される着物１の前記下衣部４でもって形成された巻きスカート状のものである。すなわち、上衣部３と分離する切断上端１６の下方の適宜位置を縫合位置６１として、該切断上端１６に沿って下衣部４を構成する表地と裏地とが横方向に縫合されるとともに、前記切断上端１６からこの縫合位置６１に向かって複数回裏地側に折り曲げられて裏地に縫合された帯状部６２が上縁６３に沿って形成され、そして前記帯状部６２に掛止具７が取付けられ、この掛止具７によって、帯状部６２をウエストに巻き付けた際に、巻き付け状態を維持させることができるようになされている。
なお、スカート６の上部には適宜間隔で三角形状の縫込みとしてのダーツ６４が、本形態では４個形成され、ウエストにフイットするように上部の横幅が裾部６５に比べて若干狭幅となるようになされているが、ダーツ６４の数は例えば８個とする等、特にその数は限定されるものではない。
また前記帯状部６について、前記切断上端１６から、表地を裏地側に折り曲げ、裏地を前記折り曲げ部と対向するようにして表地側に折り曲げて、この対向した折り曲げ部同士を縫合して帯状部６としてもよく、また別体で形成した帯状体を縫合することにより形成してもよい。
【００２４】  さらに、前記帯状部６２について詳細に説明すると、ウエストに巻き付けた際に、下前となる側、本形態では右前身頃１３１及び右衽１４１の帯状部６２の上縁６３が、下前６２１の端部に向かって下方に傾斜する傾斜上縁６３１となされ、また上前６２２となる左前身頃１３２及び左衽１４２の上縁６３についても、上前６２２の端部に向かって下方に傾斜する傾斜上縁６３２となされるとともに、前記下前６２１の端部における傾斜上縁６３１の傾斜高さを、上前６２２の端部における傾斜上縁６３２の傾斜高さよりも低位置となるようになされ、かかる帯状部６２に前記掛止具７が取付けられている。
【００２５】  前記帯状部６２に取付けられた掛止具７について、図５を含めて図６によりさらに詳細に説明する。図６は、スカートを下半身に巻き付けた着用時における、正面側において上方から下方に見た主要部の状態を示す拡大説明図であり、図６の図面において、下方が正面側である。
前記掛止具７は、挿入部を備えた雄部７１１を前後に移動させて、前記挿入部を雌部７１２の孔部に係脱させる少なくとも１個の丸ホック７１と、略Ｌ形状の引掛部を備えたフック７２１を左右に移動させて被掛止体７２２の環に係脱させる少なくとも２個のカギホック７２とを備えて構成されているとともに、ウエストに巻き付けた着用時に、前記丸ホック７１の両側に２個の前記カギホック７２が配置されるようにして帯状部６２に取付けられている。
そして、帯状部６２をウエストに巻き付けて、前記丸ホック７１とカギホック７２とをそれぞれ係止させることにより、ウエストへの巻き付け状態を維持させることができるようになされている
【００２６】  なお、前記２個のカギホック７２について、その内の１個のカギホック７２ａは、本形態においては、傾斜上縁６３２となされた帯状部６２の上前６２２の端部の裏面に、腰に巻き付けた状態において、引掛部が左を向くようにしてフック７２１が取付けられ、またこの上前６２２の端部に重合する下前６２１の帯状部６２の前面に、前記フック７２１より高位置にして、前記フック７２１に対応する被掛止体７２２が取付けられて、前記フック７２１を被掛止体７２２に対して右から左方向に移動させることにより、前記フック７２１が被掛止体７２２に係止され、逆方向に移動すると抜脱するようになされている。
【００２７】  そしてもう一方のカギホック７２ｂは、傾斜上縁６３１となされた帯状部６２の下前６２１の端部の前面に、腰に巻き付けた状態において、引掛部が右を向くようにしてフック７２１が取付けられ、またこの下前６２１の端部に重合する上前６２２の帯状部６２の裏面に、前記フック７２１より高位置にして、前記フック７２１に対応する被掛止体７２２が取付けられて、前記フック７２１を被掛止体７２２に対して左から右方向に移動させることにより、前記フック７２１が被掛止体７２２に係止され、逆方向に移動すると抜脱するようになされている。
これら２個のカギホック７２ａ，７２ｂの間に、丸ホック７１が配置されている。
【００２８】  そして着用時においては、帯状部６２をウエストに巻き付けて、前記丸ホック７１を係止させ、またカギホック７２ａの上前６２２の端部の裏面に取付けられたフック７２１を、右から左方向に移動させて下前６２１の帯状部６２に取付けられた被掛止体７２２に係止し、またカギホック７２ｂの下前６２１の端部の前面に取付けられたフック７２１を、前記カギホック７２ａとは逆に、左から右方向に移動させて上前６２２の帯状部６２に取付けられた被掛止体７２２に係止させればよい。
【００２９】  この場合において、２個のカギホック７２ａ，７２ｂのそれぞれのフック７２１は、それぞれ傾斜上縁６３１，６３２となされた上前６２２の端部と下前６２１の端部にそれぞれ取付けられ、そして前記下前６２１の端部における傾斜上縁６３１の傾斜高さを、上前６２１の端部における傾斜上縁６３２の傾斜高さよりも低位置となるようになされているため、２個のカギホック７２ａ，７２ｂを係止した状態においては、上前６５２の裾部６５の外側角部が下前６５１の裾部６５に比べて傾斜分だけ上方に引っ張られ、また下前６５１の裾部６５の外側角部も上前６５２の裾部６５に比べて傾斜分だけ上方に引っ張られるため、裾部６５が締り、また屈んだ姿勢においても上前６５２の裾部６５の外側角部が地面に垂れることが防止され、また正面視において、下前６５１の裾部６５の外側角部が上前６５２の裾部５２に隠れて見えることが防止される。
【００３０】  次に、図７〜８により、本考案に係る衣服における前記ジャケットについて説明する。
当該ジャケット８は、上下に切断した着物１の前記上衣部３でもって形成されたものであって、前記切断下端１７の表地と裏地とが縫い付けられてウエスト部８１が形成され、また、地衿１５１とその上に取付けられた掛け衿１５２とからなる衿１５から取り外された前記掛け衿１５２を展開した全幅でもって、左右のジャケット袖８２が形成され、分離した着物袖２に代わってこのジャケット袖８２が袖取付部１１に取付けられるとともに、縫い付けを外して上衣部３に残した地衿１５１の下端を前記ウエスト部８１に沿って横に縫合し、さらに、図８に詳細に示されるように、挿入部を備えた雄部８３１を前後に移動させて、前記挿入部を雌部８３２の孔部に係脱させる丸ホック８３が、左右方向に適宜間隔を開けて複数取付けられ、一の雄部８３１を、複数の雌部８３２から選択した一の雌部８３２に係止させることにより、ウエスト部８１の横幅が調整可能となされている。
なお、図８に示す図面において、下方が正面側である。
【００３１】  前記丸ホック８３は、本形態では、ウエスト部８１の上前８４となる左側の裏面に雄部８３１が、下前８５となる右側の前面の前記雄部８３１の取付位置に対応した位置に雌部８３２がそれぞれ３個づつ取付けられている。取付けられる丸ホック８３の数は特に限定されるものではないが、間隔を小さくして数多くつけることにより、ウエスト部８１の横幅を細かく調整することができる。なお本形態においては３個取付けられている。かようにして、ウエスト部８１の横幅を調整することにより、胸元を拡げたり、狭めたりして、デザインに変化を持たせることができる。なお、図８においては、（イ）は、丸ホック８３を全て係止させて、ウエスト部８１の横幅を最も狭めた状態を示し、（ロ）は、上前８４の端部裏面に取付けられた雄部８３１が、下前８５の端部前面に取付けられた雄部８３１に係止させて、ウエスト部８１の横幅を最も拡げた状態を示している。
【産業上の利用可能性】
【００３２】  本考案によれば、祖母や母親等から引き継いだものの全く着用せず、又は若い時に着用していたものの今は全く着用せずに、タンスの中に眠っている等の着物を甦らせることができ、日本の伝統文化の継続に少なからず寄与することができる。
【符号の説明】
【００３３】１      着物
１１    袖取付部
１２１  右後身頃
１２２  左後身頃
１３１  右前身頃
１３２  左前身頃
１４１  右衽
１４２  左衽
１５    衿
１５１  地衿
１５２  掛け衿
１６    切断上端
１７    切断下端
２      着物袖
２１    上端辺
２２    前面部
２３    後面部
２４    外側辺
２５    袖口
２６    内側辺
２７    袖基端部
２８    下端辺
３      上衣部
４      下衣部
５      ベスト
５１    ベスト袖口
５２    脇部
５３    重合上部
５４    重合側部
５５    重合側部
６      スカート
６１    縫合位置
６２    帯状部
６２１  下前
６２２  上前
６３    上縁
６３１，６３２  傾斜上縁
６４    ダーツ
６５    裾部
６５１  下前
６５２  上前
７      掛止具
７１    丸ホック
７１１  雄部
７１２  雌部
７２，７２ａ，７２ｂ  カギホック
７２１  フック
７２２  被掛止体
【図１】
0003196849.tif 000003
【図２】
0003196849.tif 000004
【図３】
0003196849.tif 000005
【図４】
0003196849.tif 000006
【図５】
0003196849.tif 000007
【図６】
0003196849.tif 000008
【図７】
0003196849.tif 000009
【図８】
0003196849.tif 000010